(57)【要約】【課題】ペットの健診結果をスムーズに理解させることが可能な健康管理装置、健康管理装置の作動方法、健康管理装置の作動プログラムを提供する。【解決手段】健康管理装置のＣＰＵは、第１取得部、第２取得部、および画面出力制御部として機能する。第１取得部は、ペットの健康診断の結果である健診結果を取得する。第２取得部は、ペットの光学画像を取得する。画面出力制御部は、光学画像および光学画像に基づいて作成されたシェーマ図のうちの少なくとも一方と、健診結果とを含む健診結果表示画面の出力を制御する。【選択図】図６
2020135310.tif 000002
【特許請求の範囲】
【請求項１】
ペットの健康診断の結果である健診結果を取得する第１取得部と、
前記ペットの光学画像を取得する第２取得部と、
前記光学画像および前記光学画像に基づいて作成されたシェーマ図のうちの少なくとも一方と、前記健診結果とを含む健診結果表示画面の出力を制御する画面出力制御部と、
を備える健康管理装置。
【請求項２】
前記健康診断の項目のうちから、予め記憶された選定用情報にしたがって重要項目を選定する選定部を備え、
前記画面出力制御部は、前記健診結果表示画面において、前記重要項目を他の項目と異なる表示形態で表示する請求項１に記載の健康管理装置。
【請求項３】
前記選定用情報は、前記項目の数値の正常範囲に関する情報であり、
前記選定部は、前記数値が前記正常範囲を外れた項目を、前記重要項目として選定する請求項２に記載の健康管理装置。
【請求項４】
前記画面出力制御部は、前記光学画像および前記シェーマ図のうちの少なくとも一方に臓器を重畳表示し、かつ、前記光学画像および前記シェーマ図のうちの少なくとも一方に、前記重要項目に関連する臓器を指し示すアノテーションを表示する請求項２または請求項３に記載の健康管理装置。
【請求項５】
前記健康診断は画像検査を含み、
前記画面出力制御部は、前記画像検査の撮影領域を示す枠を、前記光学画像および前記シェーマ図のうちの少なくとも一方に描出された前記ペットの体の一部に重畳表示する請求項１から請求項４のいずれか１項に記載の健康管理装置。
【請求項６】
前記画面出力制御部は、前記健診結果として、前記画像検査で得られた医療画像を、拡大および縮小可能に前記枠とは別の領域に表示し、かつ、前記医療画像の拡大および縮小に連動して、前記枠の表示サイズを変更する請求項５に記載の健康管理装置。
【請求項７】
前記画面出力制御部は、前記健診結果として、前記画像検査で得られた医療画像を前記枠内に表示し、かつ、ユーザの操作に応じて、前記枠内における前記光学画像および前記シェーマ図のうちの少なくとも一方の透過度を変更する請求項５に記載の健康管理装置。
【請求項８】
ペットの健康診断の結果である健診結果を取得する第１取得ステップと、
前記ペットの光学画像を取得する第２取得ステップと、
前記光学画像および前記光学画像に基づいて作成されたシェーマ図のうちの少なくとも一方と、前記健診結果とを含む健診結果表示画面の出力を制御する画面出力制御ステップと、
を備える健康管理装置の作動方法。
【請求項９】
ペットの健康診断の結果である健診結果を取得する第１取得部と、
前記ペットの光学画像を取得する第２取得部と、
前記光学画像および前記光学画像に基づいて作成されたシェーマ図のうちの少なくとも一方と、前記健診結果とを含む健診結果表示画面の出力を制御する画面出力制御部として、
コンピュータを機能させる健康管理装置の作動プログラム。
【発明の詳細な説明】
【技術分野】
【０００１】
本開示の技術は、健康管理装置、健康管理装置の作動方法、健康管理装置の作動プログラムに関する。
【背景技術】
【０００２】
被検体の健康状態を管理するために、検体検査、画像検査といった様々な医療検査を定期的に行う健康診断が行われている。こうした健康診断の結果（以下、単に健診結果という）を見せる態様として、例えば特許文献１には、予め用意された被検体の姿形を表すシェーマ図と併せて、健診結果を見せる態様が開示されている。特許文献１には、被検体として人とペット（動物）が例示されている。そして、ペットの全身または一部を表すシェーマ図を採用してもよいことが記載されている。
【先行技術文献】
【特許文献】
【０００３】
【特許文献１】特許第５８６８５３６号
【発明の概要】
【発明が解決しようとする課題】
【０００４】
ペット、例えば犬猫には多くの品種があり、品種によって姿形は異なる。しかしながら、特許文献１のシェーマ図は予め用意されたもので、品種によって変わるものではない。このため、シェーマ図が実際のペットの姿形とかけ離れることがしばしばあると考えられる。シェーマ図が実際のペットの姿形とかけ離れていた場合、ペットのオーナー等の閲覧者はまず違和感を覚えるため、その違和感が健診結果をスムーズに理解するための妨げとなるおそれがあった。
【０００５】
本開示の技術は、ペットの健診結果をスムーズに理解させることが可能な健康管理装置、健康管理装置の作動方法、健康管理装置の作動プログラムを提供することを目的とする。
【課題を解決するための手段】
【０００６】
上記目的を達成するために、本開示の健康管理装置は、ペットの健康診断の結果である健診結果を取得する第１取得部と、ペットの光学画像を取得する第２取得部と、光学画像および光学画像に基づいて作成されたシェーマ図のうちの少なくとも一方と、健診結果とを含む健診結果表示画面の出力を制御する画面出力制御部と、を備える。
【０００７】
健康診断の項目のうちから、予め記憶された選定用情報にしたがって重要項目を選定する選定部を備え、画面出力制御部は、健診結果表示画面において、重要項目を他の項目と異なる表示形態で表示することが好ましい。
【０００８】
選定用情報は、項目の数値の正常範囲に関する情報であり、選定部は、数値が正常範囲を外れた項目を、重要項目として選定することが好ましい。
【０００９】
画面出力制御部は、光学画像およびシェーマ図のうちの少なくとも一方に臓器を重畳表示し、かつ、光学画像およびシェーマ図のうちの少なくとも一方に、重要項目に関連する臓器を指し示すアノテーションを表示することが好ましい。
【００１０】
健康診断は画像検査を含み、画面出力制御部は、画像検査の撮影領域を示す枠を、光学画像およびシェーマ図のうちの少なくとも一方に描出されたペットの体の一部に重畳表示することが好ましい。
【００１１】
画面出力制御部は、健診結果として、画像検査で得られた医療画像を、拡大および縮小可能に枠とは別の領域に表示し、かつ、医療画像の拡大および縮小に連動して、枠の表示サイズを変更することが好ましい。
【００１２】
画面出力制御部は、健診結果として、画像検査で得られた医療画像を枠内に表示し、かつ、ユーザの操作に応じて、枠内における光学画像およびシェーマ図のうちの少なくとも一方の透過度を変更することが好ましい。
【００１３】
本開示の健康管理装置の作動方法は、ペットの健康診断の結果である健診結果を取得する第１取得ステップと、ペットの光学画像を取得する第２取得ステップと、光学画像および光学画像に基づいて作成されたシェーマ図のうちの少なくとも一方と、健診結果とを含む健診結果表示画面の出力を制御する画面出力制御ステップと、を備える。
【００１４】
本開示の健康管理装置の作動プログラムは、ペットの健康診断の結果である健診結果を取得する第１取得部と、ペットの光学画像を取得する第２取得部と、光学画像および光学画像に基づいて作成されたシェーマ図のうちの少なくとも一方と、健診結果とを含む健診結果表示画面の出力を制御する画面出力制御部として、コンピュータを機能させる。
【発明の効果】
【００１５】
本開示の技術によれば、ペットの健診結果をスムーズに理解させることが可能な健康管理装置、健康管理装置の作動方法、健康管理装置の作動プログラムを提供することができる。
【図面の簡単な説明】
【００１６】
【図１】健康管理システムを示す図である。
【図２】健康診断の検査種を示す図である。
【図３】健診結果に関連付けられる各種情報を示す図である。
【図４】動物病院におけるペットのＸ線検査の様子を示す図である。
【図５】健康管理装置およびオーナー端末を構成するコンピュータを示すブロック図である。
【図６】健康管理装置のＣＰＵの処理部を示すブロック図である。
【図７】選定用情報を示す図である。
【図８】選定部により重要項目を選定する様子を示す図である。
【図９】臓器および骨ＤＢを示す図である。
【図１０】画面生成部により臓器を光学画像に重畳表示する様子を示す図である。
【図１１】臓器および骨ＤＢに登録されていない臓器および骨の位置情報を作成する様子を示す図である。
【図１２】画面生成部により、Ｘ線検査の撮影領域を示す枠を光学画像に表示する過程を示す図である。
【図１３】画面生成部により、Ｘ線検査の撮影領域を示す枠を光学画像に表示する過程を示す図である。
【図１４】オーナー端末のＣＰＵの処理部を示すブロック図である。
【図１５】健診結果表示画面を示す図である。
【図１６】健診結果表示画面を示す図である。
【図１７】健診結果表示画面を示す図である。
【図１８】健康管理装置の処理手順を示すフローチャートである。
【図１９】光学画像に基づいてシェーマ図を作成し、シェーマ図を健診結果表示画面に表示する様子を示す図である。
【図２０】光学画像に基づいてシェーマ図を作成し、シェーマ図と光学画像を健診結果表示画面に表示する様子を示す図である。
【図２１】光学画像に基づいて作成したシェーマ図に枠を重畳表示した状態を示す図である。
【図２２】医療画像の拡大および縮小に連動して、枠の表示サイズを変更する第３実施形態を示す図であり、図２２Ａは拡大前または縮小後、図２２Ｂは縮小前または拡大後をそれぞれ示す。
【図２３】医療画像を枠内に表示し、かつ、オーナーの操作に応じて、枠内におけるシェーマ図の透過度を変更する第４実施形態を示す図であり、図２３Ａは透過度０％の場合、図２３Ｂは透過度１００％の場合をそれぞれ示す。
【図２４】透過度５０％の場合のシェーマ図および医療画像の表示状態を示す図である。
【図２５】オーナー端末のディスプレイの向きが横向きであった場合の健診結果表示画面を示す図である。
【発明を実施するための形態】
【００１７】
［第１実施形態］
図１において、健康管理システム２は、ペットＰＴの健康状態を管理するシステムである。健康管理システム２は、健康管理装置１０と、ペットＰＴのオーナーＯＷが所有するオーナー端末１１と、動物病院ＡＨにおいて医師ＤＲ等が操作する病院端末１２とを備える。健康管理装置１０は、例えばサーバコンピュータである。オーナー端末１１は、例えばスマートフォンである。病院端末１２は、例えばデスクトップ型のパーソナルコンピュータである。なお、ペットＰＴ、オーナーＯＷ、および動物病院ＡＨは、実際には複数存在する。このため、オーナー端末１１および病院端末１２も、実際には複数台ある。
【００１８】
健康管理装置１０、オーナー端末１１、および病院端末１２は、ネットワーク１３を介して相互に通信可能に接続されている。ネットワーク１３は、例えば、インターネットあるいは公衆通信網等のＷＡＮ（Ｗｉｄｅ  Ａｒｅａ  Ｎｅｔｗｏｒｋ）である。
【００１９】
オーナーＯＷは、ペットＰＴを伴って動物病院ＡＨに来院し、動物病院ＡＨにおいてペットＰＴに健康診断を受診させる。医師ＤＲは、病院端末１２を操作して、ペットＰＴの健診結果を健康管理装置１０にアップロードする。また、医師ＤＲは、健診結果に加えて、ペットＰＴの光学画像ＯＩＭ（図４等参照）を健康管理装置１０にアップロードする。
【００２０】
健康管理装置１０は、病院端末１２から健診結果および光学画像ＯＩＭがアップロードされた旨のアップロード通知を、オーナー端末１１に送信する。アップロード通知を受けた場合、オーナーＯＷは、オーナー端末１１を操作して健康管理装置１０に配信要求を送信する。健康管理装置１０は、オーナー端末１１からの配信要求を受けて、健診結果と光学画像ＯＩＭとを含む健診結果表示画面９５（図１５等参照）をオーナー端末１１に配信する。なお、オーナーＯＷは、本開示の技術に係る「ユーザ」の一例である。
【００２１】
図２において、健康診断の検査種は、主として、検体検査、身体検査、および画像検査に分かれる。検体検査は、血液検査、尿検査、生化学検査等である。血液検査には、赤血球数、白血球数、ヘモグロビン等の項目がある。尿検査には、尿蛋白、尿糖、尿潜血、ウロビリノーゲン等の項目がある。生化学検査には、アルブミン、クレアチニン、総コレステロール等の項目がある。身体検査には、体高、体重、体脂肪率等の項目がある。検体検査および身体検査の健診結果は、上記の項目の数値である。画像検査は、Ｘ線検査、内視鏡検査、超音波検査等である。画像検査の健診結果は、Ｘ線検査のＸ線画像ＸＩＭを一例として示すように、医療画像である。
【００２２】
健診結果には、図３に示すペット情報、オーナー情報、および病院情報が関連付けられている。ペット情報には、ペット識別情報、ペット名、動物種、品種、性別、年齢等が含まれている。ペット識別情報は、記号および／または番号で構成されるＩＤ（Ｉｄｅｎｔｉｆｉｃａｔｉｏｎ  Ｄａｔａ）である。動物種は、犬、猫等である。品種は、ペットＰＴが犬であれば、ラブラドールレトリバー、柴犬等である（図９参照）。オーナー情報には、オーナー識別情報、オーナー名、住所等が含まれている。病院情報には病院識別情報等が含まれている。これらペット情報、オーナー情報、および病院情報は、健診結果とともに病院端末１２から健康管理装置１０にアップロードされる。
【００２３】
動物病院ＡＨにおけるペットＰＴのＸ線検査の様子を示す図４において、Ｘ線検査には、Ｘ線源２０とＸ線検出器２１とが用いられる。Ｘ線源２０は、ペットＰＴに向けてＸ線を照射する。Ｘ線検出器２１は、Ｘ線源２０から照射されてペットＰＴを透過したＸ線を検出して、Ｘ線画像ＸＩＭを出力する。Ｘ線検出器２１は、例えば、Ｘ線を電気信号に変換する画素が二次元配列された撮像面を有するＦＰＤ（Ｆｌａｔ  Ｐａｎｅｌ  Ｄｅｔｅｃｔｏｒ)である。Ｘ線検出器２１は、Ｘ線を可視光に変換するシンチレータを有し、シンチレータが発する可視光を電気信号に変換する間接変換型でもよいし、Ｘ線を直接電気信号に変換する直接変換型でもよい。
【００２４】
Ｘ線検査においては、例えば、ペットＰＴは図示しない寝台に横臥され、Ｘ線検査を行う放射線技師ＲＡによって四肢を保定される。そして、ペットＰＴの下にＸ線検出器２１が挿入される。なお、Ｘ線検査は、ペットＰＴを寝台にうつ伏せに寝かせて行う場合もあれば、仰向けに寝かせて行う場合もある。また、放射線技師ＲＡによるペットＰＴの保定は、前脚と腰部に対して行う場合もある。
【００２５】
Ｘ線源２０には、ペットＰＴの光学画像ＯＩＭを撮影するためのデジタルカメラ２２が取り付けられている。デジタルカメラ２２は、放射線技師ＲＡによって操作される。デジタルカメラ２２のビューファインダには、撮影ガイドが表示される。撮影ガイドは、具体的には推奨する画角（位置および大きさ）のペットＰＴの側面の立ち姿の輪郭画像である。撮影ガイドは、動物種、品種、性別、および年齢毎に用意されている。放射線技師ＲＡは、ペットＰＴに合った撮影ガイドをデジタルカメラ２２のビューファインダに表示させ、背景に何もない場所において、撮影ガイドにしたがってペットＰＴの側面の立ち姿を撮影する。これにより、推奨する画角と大体同じペットＰＴの光学画像ＯＩＭが撮影される。
【００２６】
なお、Ｘ線源２０としては、製品名「ＣＡＬＮＥＯ  Ｘａｉｒ」（富士フイルム株式会社製）等の持ち運び可能な携帯型Ｘ線源を用いてもよい。こうした携帯型Ｘ線源を用いた場合、図４で示したようにペットＰＴを寝台に横臥させて、放射線技師ＲＡによってペットＰＴの四肢等を保定するのではなく、光学画像ＯＩＭを撮影する場合と同じく、立ち姿のペットＰＴにＸ線を照射してＸ線画像ＸＩＭを撮影してもよい。ペットＰＴを寝台に横臥させた場合はペットＰＴが暴れるおそれがあるため、放射線技師ＲＡによってペットＰＴの四肢等を保定する必要がある。対して、携帯型Ｘ線源を用いれば、放射線技師ＲＡによってペットＰＴの四肢等を保定する必要がなく、より自然な立ち姿でペットＰＴのＸ線画像ＸＩＭを撮影することができる。また、Ｘ線画像ＸＩＭの撮影と光学画像ＯＩＭの撮影とを連続的に行うことができる。
【００２７】
Ｘ線検出器２１から出力されたＸ線画像ＸＩＭ、およびデジタルカメラ２２で撮影された光学画像ＯＩＭは、健康管理装置１０にアップロードされる。なお、Ｘ線源２０に備え付けのデジタルカメラ２２ではなく、放射線技師ＲＡが所有するスマートフォン等でペットＰＴを撮影し、これにより得られた光学画像ＯＩＭを健康管理装置１０にアップロードしてもよい。
【００２８】
図５において、健康管理装置１０およびオーナー端末１１を構成するコンピュータは、基本的には同じ構成であり、ストレージデバイス３０、メモリ３１、ＣＰＵ（Ｃｅｎｔｒａｌ  Ｐｒｏｃｅｓｓｉｎｇ  Ｕｎｉｔ）３２、通信部３３、ディスプレイ３４、および入力デバイス３５を備えている。これらはバスライン３６を介して相互接続されている。
【００２９】
ストレージデバイス３０は、健康管理装置１０およびオーナー端末１１を構成するコンピュータに内蔵、またはケーブルやネットワークを通じて接続されたハードディスクドライブである。もしくはストレージデバイス３０は、ハードディスクドライブを複数台連装したディスクアレイである。ストレージデバイス３０には、オペレーティングシステム等の制御プログラムや各種アプリケーションプログラム（以下、ＡＰ（Ａｐｐｌｉｃａｔｉｏｎ  Ｐｒｏｇｒａｍ）と略す）、およびこれらのプログラムに付随する各種データ等が記憶されている。
【００３０】
メモリ３１は、ＣＰＵ３２が処理を実行するためのワークメモリである。ＣＰＵ３２は、ストレージデバイス３０に記憶されたプログラムをメモリ３１へロードして、プログラムにしたがった処理を実行することにより、コンピュータの各部を統括的に制御する。
【００３１】
通信部３３は、ネットワーク１３を介した各種情報の伝送制御を行うネットワークインターフェースである。ディスプレイ３４は各種画面を表示する。各種画面にはＧＵＩ(Ｇｒａｐｈｉｃａｌ  Ｕｓｅｒ  Ｉｎｔｅｒｆａｃｅ)による操作機能が備えられる。健康管理装置１０およびオーナー端末１１を構成するコンピュータは、各種画面を通じて、入力デバイス３５からの操作指示の入力を受け付ける。入力デバイス３５は、キーボードやマウス、タッチパネル等である。
【００３２】
なお、以下の説明では、健康管理装置１０を構成するコンピュータの各部には添え字の「Ａ」を、オーナー端末１１を構成するコンピュータの各部には添え字の「Ｂ」をそれぞれ符号に付して区別する。
【００３３】
図６において、健康管理装置１０のストレージデバイス３０Ａには、作動プログラム４０が記憶されている。ストレージデバイス３０Ａには、作動プログラム４０の他に、選定用情報４１と、臓器および骨データベース（以下、ＤＢ（Ｄａｔａ  Ｂａｓｅ）と略す）４２とが記憶されている。
【００３４】
作動プログラム４０は、本開示の技術に係る「健康管理装置の作動プログラム」の一例である。作動プログラム４０が起動されると、健康管理装置１０のＣＰＵ３２Ａは、メモリ３１等と協働して、第１取得部４５、第２取得部４６、選定部４７、および画面出力制御部４８として機能する。画面出力制御部４８は、画面生成部４９および画面配信部５０を有している。なお、以下に記載する「画面出力制御部４８」は、画面生成部４９および画面配信部５０を含む概念である。
【００３５】
第１取得部４５は、病院端末１２からのペットＰＴの健診結果を取得する。第１取得部４５は、取得した健診結果を選定部４７および画面出力制御部４８に出力する。第２取得部４６は、病院端末１２からのペットＰＴの光学画像ＯＩＭを取得する。第２取得部４６は、取得した光学画像ＯＩＭを画面出力制御部４８に出力する。
【００３６】
選定部４７は、健康診断の項目のうちから、選定用情報４１にしたがって重要項目を選定する。選定部４７は、選定した重要項目を画面出力制御部４８に出力する。
【００３７】
画面出力制御部４８は、オーナー端末１１からの、健診結果表示画面９５を含む各種画面の配信要求を受け付ける。画面出力制御部４８は、配信要求を受け付けた場合、各種画面のオーナー端末１１への出力を制御する。より詳しくは、画面出力制御部４８は、各種画面を、例えば、ＸＭＬ（Ｅｘｔｅｎｓｉｂｌｅ  Ｍａｒｋｕｐ  Ｌａｎｇｕａｇｅ）等のマークアップ言語によって作成されるウェブ配信用の画面データの形式で出力する。これにより、オーナー端末１１では、各種画面をウェブブラウザ上で閲覧することが可能となる。ＸＭＬに代えて、ＪＳＯＮ（Ｊａｖａｓｃｒｉｐｔ（登録商標）  Ｏｂｊｅｃｔ  Ｎｏｔａｔｉｏｎ）等の他のデータ記述言語を利用してもよい。
【００３８】
画面生成部４９は、各種画面の画面データを生成し、生成した画面データを画面配信部５０に出力する。画面配信部５０は、画面生成部４９からの画面データを、各種画面の配信要求の要求元のオーナー端末１１に配信する。
【００３９】
図７において、選定用情報４１は、検体検査の項目の数値の正常範囲に関する情報である。より詳しくは、選定用情報４１は、検体検査の項目毎に、数値の正常範囲と、項目に関連する臓器とが登録された情報である。選定用情報４１は、犬、猫等のペットＰＴの動物種に応じて複数種ある。
【００４０】
図７では、犬の選定用情報４１を例示している。そして、総コレステロールの正常範囲「１３５〜２７５ｍｇ／ｄＬ」および関連する臓器「肝臓」、ＧＯＴ（Ｇｌｕｔａｍｉｃ  Ｏｘａｌｏａｃｅｔｉｃ  Ｔｒａｎｓａｍｉｎａｓｅ）の正常範囲「９〜３２ＩＵ／Ｉ」および関連する臓器「心臓、肝臓」等を例示している。
【００４１】
図８に示すように、選定部４７は、第１取得部４５からの健診結果の各項目の数値と、選定用情報４１の正常範囲とを照らし合わせる。そして、数値が正常範囲を外れた項目を、重要項目として選定する。数値が正常範囲を外れた項目とは、言い換えれば数値が異常な項目である。数値が異常な項目は、ペットＰＴの健康状態を把握するうえで、オーナーＯＷに特に注目してほしい項目である。選定部４７は、選定した重要項目と、当該重要項目に関連する臓器とを画面出力制御部４８に出力する。
【００４２】
図８では、健診結果の総蛋白の数値が８．５ｇ／ｄＬで、正常範囲の６．５〜８．０ｇ／ｄＬを外れていて、かつ健診結果のＧＯＴの数値が４８ＩＵ／Ｉで、正常範囲の９〜３２ＩＵ／Ｉを外れていた場合を例示している。この場合、選定部４７は、総蛋白およびＧＯＴを重要項目として選定し、総蛋白およびＧＯＴとともに、これらの項目に関連する臓器である「心臓」および「肝臓」を画面出力制御部４８に出力する。
【００４３】
図９において、臓器および骨ＤＢ４２には、ペットＰＴの品種、性別、年齢、体高、体重、体脂肪率毎に、ペットＰＴの側面の立ち姿の輪郭画像ＣＩＭと、臓器および骨の輪郭画像ＣＩＭ内の位置情報とが登録されている。年齢は、例えば０〜１５歳の範囲で１歳刻み、体高は、品種によるが、例えば５０〜６０ｃｍの範囲で１ｃｍ刻みである。体重も品種によるが、例えば２０〜３０ｋｇの範囲で１ｋｇ刻みである。体脂肪率は、例えば１０〜３０％の範囲で５％刻みである。
【００４４】
輪郭画像ＣＩＭは、例えば、過去に撮影された複数の光学画像ＯＩＭについて、光学画像ＯＩＭに映るペットＰＴの輪郭を抽出して平均化することで生成した画像である。輪郭画像ＣＩＭの中には、デジタルカメラ２２のビューファインダに撮影ガイドとして表示される画像もある。臓器の位置情報は、具体的には、心臓、肝臓といった各臓器の輪郭に該当する複数の画素の、輪郭画像ＣＩＭ内における座標の集合である。骨の位置情報は、Ｘ線画像ＸＩＭに映り込む特定の骨、例えば下顎骨、肩甲骨等の輪郭に該当する複数の画素の、輪郭画像ＣＩＭ内における座標の集合である。臓器および骨の位置情報は、例えば、過去に撮影された複数のＸ線画像ＸＩＭに映る臓器および骨の位置を平均化することで導出した情報である。臓器および骨ＤＢ４２も選定用情報４１と同じく、犬、猫等のペットＰＴの動物種に応じて複数種ある。
【００４５】
図９では、犬の臓器および骨ＤＢ４２を例示している。そして、品種「ラブラドールレトリバー」、性別「オス」、年齢「５歳」、体高「５５ｃｍ」、体重「２５ｋｇ」、体脂肪率「３０％」の輪郭画像ＣＩＭと臓器および骨の位置情報とを例示している。また、品種「ワイマラナー」、性別「オス」、年齢「８歳」、体高「６０ｃｍ」、体重「３５ｋｇ」、体脂肪率「１５％」の輪郭画像ＣＩＭと臓器および骨の位置情報も例示している。さらに、品種「柴犬」、性別「メス」、年齢「１０歳」、体高「４０ｃｍ」、体重「１５ｋｇ」、体脂肪率「２０％」の輪郭画像ＣＩＭと臓器および骨の位置情報も例示している。
【００４６】
図１０において、画面生成部４９は、臓器および骨ＤＢ４２に基づいて、光学画像ＯＩＭに臓器６０を重畳表示する。より詳しくは、画面生成部４９は、身体検査の体高、体重、体脂肪率の健診結果（数値）、およびペット情報の動物種、品種、性別、年齢をキーとして、これらに対応する臓器の位置情報を、臓器および骨ＤＢ４２から検索する。そして、検索した臓器の位置情報にしたがって臓器６０を光学画像ＯＩＭに描出する。臓器６０は、食道６１、肺６２、心臓６３、肝臓６４、胃６５、膵臓６６、脾臓６７、腎臓６８、小腸６９、大腸７０である。
【００４７】
図１０では、ペットＰＴが、動物種「犬」、品種「ラブラドールレトリバー」、性別「オス」、年齢「５歳」、体高「５５ｃｍ」、体重「２５ｋｇ」、体脂肪率「３０％」の場合を例示している。この場合、画面生成部４９は、犬の臓器および骨ＤＢ４２から、品種「ラブラドールレトリバー」、性別「オス」、年齢「５歳」、体高「５５ｃｍ」、体重「２５ｋｇ」、体脂肪率「３０％」に対応する臓器の位置情報を検索する。そして、検索した位置情報にしたがって臓器６０を光学画像ＯＩＭに描出する。
【００４８】
上記例では、臓器および骨ＤＢ４２の体脂肪率を、例えば５％刻みとした。そうすると、例えば体脂肪率１８％といった、臓器および骨の位置情報が登録された体脂肪率の間の体脂肪率に対しては、位置情報は登録されていないことになる。このように位置情報が登録されていない場合には、図１１に示すように、画面生成部４９は、登録された臓器および骨の位置情報から、登録されていない臓器および骨の位置情報を類推して作成する。
【００４９】
図１１に示すように、臓器および骨ＤＢ４２に登録されていない位置情報の作成は、まず、対象のペットＰＴの体脂肪率を上下で挟む２つの体脂肪率の位置情報を、臓器および骨ＤＢ４２から検索する。そして、２つの体脂肪率の位置情報に基づいて、臓器および骨の大きさを算出する。なお、臓器および骨の大きさとは、臓器および骨の面積と同義である。
【００５０】
続いて、算出した臓器および骨の大きさから、臓器および骨の大きさと体脂肪率との関係式を導出する。関係式は、臓器および骨の大きさをＳ、体脂肪率をＢＦＰ、係数をα、βとした場合、次式（１）で表される一次関数である。
Ｓ＝αＢＦＰ＋β・・・（１）
なお、関係式を導出する場合、対象のペットＰＴの体脂肪率を上下で挟む２つの体脂肪率のうち、高いほうの体脂肪率の位置情報に基づいて算出した臓器および骨の大きさを１として規格化する。
【００５１】
次いで、導出した関係式に対象のペットＰＴの体脂肪率を代入して、対象のペットＰＴの臓器および骨の大きさを求める。そして、求めた臓器および骨の大きさを、高いほうの体脂肪率の臓器および骨の大きさに乗算することで、臓器および骨ＤＢ４２に登録されていない位置情報を作成する。
【００５２】
図１１では、対象のペットＰＴの体脂肪率が１８％で、肺の位置情報を作成する場合を例示している。この場合、２つの体脂肪率の位置情報として、体脂肪率１５％の肺の位置情報および体脂肪率２０％の肺の位置情報を、臓器および骨ＤＢ４２から検索する。体脂肪率２０％の肺の位置情報は、上記の「高いほうの体脂肪率の位置情報」に相当する。
【００５３】
体脂肪率１５％の肺の位置情報および体脂肪率２０％の肺の位置情報に基づいて関係式を導出し、体脂肪率１８％の対象のペットＰＴの肺の大きさを求めた結果、０．９６であった。このため、画面生成部４９は、体脂肪率２０％の肺の大きさに０．９６を乗算し、体脂肪率１８％の肺の位置情報を作成する。
【００５４】
なお、図１１では、対象のペットＰＴの体脂肪率を上下で挟む２つの体脂肪率の位置情報に基づいて導出した一次関数の関係式から、臓器および骨ＤＢ４２に登録されていない位置情報を作成する方法を例示した。この方法は直線内挿と呼ばれる方法である。対象のペットＰＴの体脂肪率が、臓器および骨ＤＢ４２における体脂肪率の範囲外であった場合は、上記の直線内挿に代えて、直線外挿を行えばよい。
【００５５】
また、図１１では、臓器および骨ＤＢ４２に登録されている位置情報から臓器および骨の大きさを算出して、算出した臓器および骨の大きさに基づいて、臓器および骨ＤＢ４２に登録されていない位置情報を作成しているが、これに限らない。臓器および骨ＤＢ４２に登録されている位置情報から臓器および骨の位置を算出して、算出した臓器および骨の位置に基づいて、臓器および骨ＤＢ４２に登録されていない位置情報を作成してもよい。ただし、臓器および骨の位置は、臓器および骨の大きさと比べて、体脂肪率によって大きく変化しない。このため、臓器および骨の位置は、体脂肪率によらず同じ位置として、臓器および骨の位置に基づく位置情報の作成はしなくてもよい。
【００５６】
図１２および図１３に示すように、画面生成部４９は、Ｘ線検査の撮影領域を示す枠８０を、光学画像ＯＩＭに描出されたペットＰＴの体の一部に重畳表示する。より詳しくは、画面生成部４９は、まず、Ｘ線画像ＸＩＭから特定の骨７５の輪郭７６を抽出した骨輪郭画像ＢＣＩＭを生成する。また、画面生成部４９は、臓器および骨ＤＢ４２から、対象のペットＰＴに対応する輪郭画像ＣＩＭ、および特定の骨７５と同じ骨の位置情報を検索する。
【００５７】
画面生成部４９は、骨輪郭画像ＢＣＩＭの骨７５の輪郭７６と、臓器および骨ＤＢ４２から検索した位置情報に基づく骨の輪郭７７とを比較する。その結果、画面生成部４９は、輪郭７６を輪郭７７に合わせるための位置合わせパラメータを算出する。位置合わせパラメータは、骨輪郭画像ＢＣＩＭの拡大率、縮小率、回転量等である。
【００５８】
画面生成部４９は、算出した位置合わせパラメータに基づいて、骨輪郭画像ＢＣＩＭに対して、拡大処理、縮小処理、回転処理といった画像処理を施す。その後、画面生成部４９は、骨輪郭画像ＢＣＩＭを、輪郭７６が輪郭７７に合うように輪郭画像ＣＩＭに重畳する。画面生成部４９は、輪郭画像ＣＩＭに重畳された骨輪郭画像ＢＣＩＭの枠を、Ｘ線検査の撮影領域を示す枠８０として、光学画像ＯＩＭに重畳表示する。
【００５９】
図１２および図１３では、特定の骨７５として肩甲骨を例示している。ただし、特定の骨７５は肩甲骨に限らず、Ｘ線画像ＸＩＭに映り込む骨であればよく、下顎骨、上腕骨、大腿骨、骨盤等でもよい。
【００６０】
Ｘ線検査の撮影領域を示す枠８０を光学画像ＯＩＭに重畳表示する方法としては、図１２および図１３で示した方法に限らない。例えば、Ｘ線画像ＸＩＭに映る特定の２つの骨の距離に基づいて、骨輪郭画像ＢＣＩＭの拡大率、縮小率を算出してもよい。あるいは、特定の骨７５とＸ線画像ＸＩＭの画像端との距離に基づいて、光学画像ＯＩＭにおける枠８０の表示位置を画定してもよい。
【００６１】
図１４において、オーナー端末１１のストレージデバイス３０Ｂには、健康管理ＡＰ９０が記憶されている。健康管理ＡＰ９０が実行されてウェブブラウザが起動されると、オーナー端末１１のＣＰＵ３２Ｂは、メモリ３１等と協働して、ブラウザ制御部９１として機能する。ブラウザ制御部９１は、ウェブブラウザの動作を制御する。ブラウザ制御部９１は、健康管理装置１０からの各種画面の画面データを受け取る。ブラウザ制御部９１は、画面データに基づきウェブブラウザ上に表示する各種画面を再現し、これをディスプレイ３４Ｂに表示する。
【００６２】
また、ブラウザ制御部９１は、各種画面を通じて、オーナーＯＷによって入力デバイス３５Ｂから入力される様々な操作指示を受け付ける。操作指示には、健康管理装置１０へのアクセス指示、各種画面の配信指示等がある。ブラウザ制御部９１は、操作指示に応じた要求を健康管理装置１０に対して発行する。例えば、ブラウザ制御部９１は、各種画面の配信指示に応じて、各種画面の配信要求を健康管理装置１０に対して発行する。なお、オーナー端末１１はスマートフォンであるので、入力デバイス３５Ｂはタッチパネルである。
【００６３】
図１５〜図１７において、オーナー端末１１のディスプレイ３４Ｂに表示される健診結果表示画面９５は、大別して、サマリー表示領域９６、光学画像表示領域９７、および健診結果表示領域９８に分かれている。サマリー表示領域９６には、健診結果を総合的に加味してペットＰＴの健康状態のレベルを判定した結果、健診結果から導き出される疾患名、およびオーナーＯＷに向けたアドバイスが表示される。光学画像表示領域９７には、光学画像ＯＩＭが表示される。健診結果表示領域９８には、健診結果が表示される。すなわち、健診結果表示画面９５は、光学画像ＯＩＭと健診結果とを含む。
【００６４】
図１５において、光学画像ＯＩＭには、臓器６０が重畳表示される。健診結果表示領域９８には、検体検査の各項目の数値、正常範囲、および簡単なコメントが表示される。この健診結果表示画面９５において、画面生成部４９は、選定部４７が選定した重要項目を、他の項目と異なる表示形態で表示する。具体的には、重要項目を他の項目よりも上位に表示する。また、重要項目に付された番号９９を、ハッチングで示すように例えば赤地に白抜き文字とする。一方、他の項目に付された番号１００は、例えば緑地に白抜き文字とする。さらに、重要項目の数値を、ハッチングで示すように例えば赤色で表示する一方で、他の項目の数値は、例えば緑色で表示する。
【００６５】
また、画面生成部４９は、重要項目に関連する臓器を指し示すアノテーション１０５を、光学画像ＯＩＭに表示する。アノテーション１０５は、重要項目に関連する臓器を一端で指し示す線と、この線の他端に配された、重要項目に付された番号９９である。重要項目に関連する臓器は、ハッチングで示すように例えば赤色に塗り潰される一方で、重要項目に関連しない臓器は、例えば灰色に塗り潰される。
【００６６】
なお、重要項目を他の項目と異なる表示形態で表示する方法としては、他に以下が考えられる。例えば、重要項目だけを表示して、他の項目は表示しない。あるいは、重要項目を太字で、他の項目を細字で表示する。さらには、重要項目を比較的大きいサイズの文字で、他の項目を重要項目よりも小さいサイズの文字で表示してもよい。もちろん、上記で示した方法を複合して実施してもよい。また、重要項目に関連する臓器を指し示す線を除いて、番号９９だけでアノテーション１０５を構成してもよい。この場合、番号９９は、重要項目に関連する臓器に重畳表示される。
【００６７】
図１５は、図８で示した、総蛋白およびＧＯＴを重要項目として選定した場合を例示している。この場合、重要項目に関連する臓器は「心臓」および「肝臓」であるため、心臓６３および肝臓６４にアノテーション１０５が表示される。また、心臓６３および肝臓６４が赤色に塗り潰される。なお、本例のように、重要項目に関連する臓器が複数ある場合は、塗り潰す色を臓器毎に変更してもよい。
【００６８】
図１６において、光学画像ＯＩＭには、図１５の場合と同じく臓器６０が重畳表示され、さらにＸ線検査の撮影領域を示す枠８０が表示される。健診結果表示領域９８には、Ｘ線画像ＸＩＭが表示される。このように、画面生成部４９は、Ｘ線画像ＸＩＭを枠８０とは別の領域に表示する。なお、Ｘ線検査に限らず、他の画像検査、例えば内視鏡検査、超音波検査の撮影領域を示す枠８０を表示し、かつ、健診結果表示領域９８に、内視鏡画像、超音波画像を表示してもよい。
【００６９】
図１７は、Ｘ線検査において複数（図１７では２つ）の領域を撮影した場合の健診結果表示画面９５を示している。この場合、光学画像ＯＩＭには、Ｘ線検査の撮影領域を示す枠８０が複数表示される。複数の枠８０は、それぞれ個別にオーナーＯＷが選択することが可能である。健診結果表示領域９８には、オーナーＯＷにより選択された枠８０に対応するＸ線画像ＸＩＭが表示される。
【００７０】
複数の枠８０には、番号１１０が付されている。番号１１０は、健診結果表示領域９８のＸ線画像ＸＩＭにも付されている。この番号１１０によって、健診結果表示領域９８に現在表示されているＸ線画像ＸＩＭの撮影領域を示す枠８０が、複数の枠８０のうちのいずれであるかが分かる。
【００７１】
なお、医師ＤＲ等が複数のＸ線画像ＸＩＭに閲覧の優先度を設定し、優先度が高いＸ線画像ＸＩＭの枠８０を、優先度が低いＸ線画像ＸＩＭの枠８０よりも目立つように表示してもよい。例えば、優先度が高いＸ線画像ＸＩＭの枠８０を太線とし、優先度が低いＸ線画像ＸＩＭの枠８０を細線とする。この場合、健診結果表示領域９８に最初に表示されるＸ線画像ＸＩＭは、優先度が高いＸ線画像ＸＩＭとする。
【００７２】
図１５で示した健診結果表示画面９５と、図１６または図１７で示した健診結果表示画面９５とは、入力デバイス３５Ｂであるタッチパネルへのスワイプ操作によって、表示を切り替えることが可能である。なお、図１５で示した健診結果表示画面９５、図１６または図１７で示した健診結果表示画面９５に加えて、全ての健診結果を網羅的にリスト形式で示した画面を表示してもよい。また、サマリー表示領域９６に表示された疾患の治療方針を示した画面を表示してもよい。治療方針としては、推奨する散歩の距離および時間、推奨する食事の量等が挙げられる。さらにオーナーＯＷの操作に応じて、推奨する散歩コースを示した地図画面、あるいは推奨するペットフードの購入画面を表示してもよい。
【００７３】
次に、上記構成による作用について、図１８のフローチャートを参照して説明する。まず、作動プログラム４０が起動されると、図６で示したように、健康管理装置１０のＣＰＵ３２Ａが、第１取得部４５、第２取得部４６、選定部４７、および画面出力制御部４８（画面生成部４９および画面配信部５０）として機能する。
【００７４】
健康管理装置１０には、動物病院ＡＨの病院端末１２から、ペットＰＴの健診結果およびペットＰＴの光学画像ＯＩＭがアップロードされる。ペットＰＴの健診結果は、第１取得部４５によって取得される（ステップＳＴ１００）。ステップＳＴ１００は、本開示の技術に係る「第１取得ステップ」の一例である。ペットＰＴの健診結果は、第１取得部４５から選定部４７および画面出力制御部４８に出力される。
【００７５】
一方、ペットＰＴの光学画像ＯＩＭは、第２取得部４６によって取得される（ステップＳＴ１１０）。ステップＳＴ１１０は、本開示の技術に係る「第２取得ステップ」の一例である。ペットＰＴの光学画像ＯＩＭは、第２取得部４６から画面出力制御部４８に出力される。
【００７６】
選定部４７では、図８で示したように、ストレージデバイス３０Ａに予め記憶された選定用情報４１にしたがって重要項目が選定される（ステップＳＴ１２０）。重要項目は、選定部４７から画面出力制御部４８に出力される。
【００７７】
画面出力制御部４８では、オーナー端末１１からの健診結果表示画面９５の配信要求が受け付けられる（ステップＳＴ１３０）。この配信要求が受け付けられた場合、画面出力制御部４８の画面生成部４９により、図１５等で示した健診結果表示画面９５の画面データが生成される（ステップＳＴ１４０）。健診結果表示画面９５の画面データは、画面配信部５０に出力される。
【００７８】
健診結果表示画面９５の画面データは、画面配信部５０によって、配信要求の要求元のオーナー端末１１に配信される（ステップＳＴ１５０）。ステップＳＴ１４０およびステップＳＴ１５０は、本開示の技術に係る「画面出力制御ステップ」の一例である。
【００７９】
オーナー端末１１では、ブラウザ制御部９１により、健康管理装置１０からの健診結果表示画面９５がディスプレイ３４Ｂに表示される。オーナーＯＷは、健診結果表示画面９５を閲覧し、ペットＰＴの健診結果を確認する。
【００８０】
図１５等で示したように、健診結果表示画面９５には、ペットＰＴの光学画像ＯＩＭと健診結果とが表示される。予め用意されたシェーマ図ではなく、自分が飼っているペットＰＴの光学画像ＯＩＭが表示されるので、健診結果表示画面９５を閲覧するオーナーＯＷは違和感を覚えることがない。したがって、オーナーＯＷは健診結果をスムーズに理解することが可能となる。
【００８１】
図８で示したように、選定部４７により選定用情報４１にしたがって重要項目を選定する。より詳しくは、選定用情報４１は、健康診断の項目の数値の正常範囲に関する情報であり、選定部４７は、数値が正常範囲を外れた項目を、重要項目として選定する。また、図１５で示したように、画面出力制御部４８により、健診結果表示画面９５では、重要項目が他の項目と異なる表示形態で表示される。このため、オーナーＯＷは重要項目を一目で見分けることができる。重要項目と他の項目とを区別なく同じ表示形態で表示した場合に比べて、オーナーＯＷは健診結果の要点を容易に理解することができる。また、オーナー端末１１がスマートフォン等の携帯端末であった場合は、ディスプレイ３４Ｂの表示面積に制約があるため、こうした要点を絞った表示は特に有効である。
【００８２】
なお、選定部４７において重要項目が選定されなかった場合、すなわち、全項目の数値が正常範囲内であった場合は、敢えて検体検査の結果を表示する必要はない。
【００８３】
また、数値は正常範囲内ではあるが、当該数値が正常範囲の下限値または上限値に近い項目を、重要項目として選定してもよい。例えば総蛋白の正常範囲は６．５〜８．０ｇ／ｄＬであるが、数値が６．５〜６．８ｇ／ｄＬおよび７．７〜８．０ｇ／ｄＬの範囲であった場合も、総蛋白を重要項目として選定する。また、正常範囲との差異に応じて、要治療、治療は必要ではないが要注意等、重要項目にレベルを設け、レベルに応じて表示形態を変更してもよい。
【００８４】
図１５で示したように、画面出力制御部４８により、健診結果表示画面９５では、光学画像ＯＩＭに臓器６０が重畳表示され、かつ、光学画像ＯＩＭに、重要項目に関連する臓器６０を指し示すアノテーション１０５が表示される。このため、医学知識に乏しいオーナーＯＷであっても、重要項目に関連する臓器６０が即座に分かる。したがって、オーナーＯＷの健診結果への理解度を高めることができる。数値が正常範囲を外れた項目、言い換えれば数値が異常な項目を重要項目として選定する場合、数値の異常がどういった臓器６０の影響で引き起こされているのかが分かる。したがって、オーナーＯＷの健診結果への理解度をより高めることができる。
【００８５】
図１６および図１７で示したように、画面出力制御部４８により、健診結果表示画面９５では、画像検査の撮影領域を示す枠８０が、光学画像ＯＩＭに描出されたペットＰＴの体の一部に重畳表示される。このため、オーナーＯＷは、健診結果表示領域９８に表示された医療画像が、ペットＰＴの体のどの部分を撮影した画像であるのかが一目で分かる。したがって、オーナーＯＷの健診結果への理解度を高めることができる。
【００８６】
［第２実施形態］
図１９〜図２１に示す第２実施形態では、光学画像ＯＩＭに代えて、あるいは加えて、光学画像ＯＩＭに基づいて作成されたシェーマ図を健診結果表示画面９５に表示する。
【００８７】
図１９および図２０において、第２実施形態では、健康管理装置１０のＣＰＵ３２Ａに、作成部１１５の機能が追加される。作成部１１５は、第１取得部４５において取得した光学画像ＯＩＭから輪郭画像ＣＩＭを作成する。作成部１１５は、例えば、＜インターネットＵＲＬ；http://www.m-ss.com/mss/systems01.html＞に記載のシェーマ図作成支援ＡＰ等を光学画像ＯＩＭに適用し、輪郭画像ＣＩＭを作成する。作成部１１５は、作成した輪郭画像ＣＩＭを、シェーマ図ＳＩＭとして画面生成部４９に出力する。
【００８８】
図１９に示すように、画面生成部４９は、光学画像表示領域９７に代えて、シェーマ図表示領域１１７を健診結果表示画面９５に設ける。そして、シェーマ図表示領域１１７に、作成部１１５において作成したシェーマ図ＳＩＭを表示する。また、画面生成部４９は、シェーマ図ＳＩＭに臓器６０を重畳表示し、かつ、シェーマ図ＳＩＭに、重要項目に関連する臓器６０を指し示すアノテーション１０５を表示する。
【００８９】
あるいは図２０に示すように、画面生成部４９は、光学画像表示領域９７に加えて、シェーマ図表示領域１１７を健診結果表示画面９５に設ける。そして、図１９の場合と同じく、シェーマ図表示領域１１７にシェーマ図ＳＩＭを表示する。また、画面生成部４９は、図１９の場合と同じく、シェーマ図ＳＩＭに臓器６０を重畳表示し、かつ、シェーマ図ＳＩＭに、重要項目に関連する臓器６０を指し示すアノテーション１０５を表示する。
【００９０】
図１９および図２０のいずれの場合においても、図２１に示すように、画面生成部４９は、枠８０もシェーマ図ＳＩＭに描出されたペットＰＴの体の一部に重畳表示する。
【００９１】
このように、第２実施形態では、画面出力制御部４８により、光学画像ＯＩＭに代えて、あるいは加えて、光学画像ＯＩＭに基づいて作成されたシェーマ図ＳＩＭが健診結果表示画面９５に表示される。したがって、上記第１実施形態と同様に、オーナーＯＷは違和感を覚えることがなく、健診結果をスムーズに理解することが可能となる。
【００９２】
［第３実施形態］
図２２に示す第３実施形態では、画像検査で得られた医療画像を拡大および縮小可能に表示し、かつ、医療画像の拡大および縮小に連動して、枠８０の表示サイズを変更する。
【００９３】
図２２において、画面生成部４９は、医療画像の一例であるＸ線画像ＸＩＭを、拡大および縮小可能に健診結果表示領域９８に表示する。また、画面生成部４９は、光学画像表示領域９７の光学画像ＯＩＭに重畳表示した、Ｘ線検査の撮影領域を示す枠８０の表示サイズを、Ｘ線画像ＸＩＭの拡大および縮小に連動して変更する。この場合、健診結果表示領域９８は、本開示の技術に係る「枠とは別の領域」の一例である。
【００９４】
図２２Ａに示す拡大前の状態から、オーナーＯＷによって拡大操作が行われた場合、画面生成部４９は、図２２Ｂに示すように、Ｘ線画像ＸＩＭを拡大表示する。この拡大表示に伴い、画面生成部４９は、枠８０の表示サイズを小さくする。一方、図２２Ｂに示す状態から、オーナーＯＷによって縮小操作が行われた場合、画面生成部４９は、図２２Ａに示すように、Ｘ線画像ＸＩＭを縮小表示する。また、画面生成部４９は、Ｘ線画像ＸＩＭの縮小表示に伴い、枠８０の表示サイズを大きくする。なお、拡大操作は、例えばＸ線画像ＸＩＭに対するピンチアウト操作である。一方、縮小操作は、例えばＸ線画像ＸＩＭに対するピンチイン操作である。
【００９５】
このように、第３実施形態では、画面出力制御部４８により、画像検査で得られた医療画像が、拡大および縮小可能に枠８０とは別の領域に表示され、かつ、医療画像の拡大および縮小に連動して、枠８０の表示サイズが変更される。したがって、医療画像の見たい箇所を拡大表示して、詳細に観察することができる。また、医療画像の拡大、縮小に関わらず、観察している医療画像がペットＰＴの体のどの部分を撮影した画像であるのかが分かる。したがって、オーナーＯＷの健診結果への理解度をさらに高めることができる。
【００９６】
［第４実施形態］
図２３および図２４に示す第４実施形態では、画像検査で得られた医療画像を枠８０内に表示し、かつ、オーナーＯＷの操作に応じて、枠８０内における光学画像ＯＩＭおよびシェーマ図ＳＩＭのうちの少なくとも一方の透過度を変更する。
【００９７】
図２３において、画面生成部４９は、枠８０をシェーマ図ＳＩＭに重畳表示する。画面生成部４９は、医療画像の一例であるＸ線画像ＸＩＭを枠８０内に表示する（図２３Ｂ参照）。なお、シェーマ図ＳＩＭに代えて、上記第１実施形態のように、光学画像ＯＩＭに枠８０を重畳表示し、この枠８０内にＸ線画像ＸＩＭを表示してもよい。
【００９８】
シェーマ図ＳＩＭの下方には、透過度変更バー１２０が設けられている。透過度変更バー１２０は、枠８０内におけるシェーマ図ＳＩＭの透過度を変更するためのＧＵＩである。透過度変更バー１２０は、オーナーＯＷのスワイプ操作、フリック操作等に応じて、透過度０〜１００％の間の位置に移動される。
【００９９】
図２３Ａは、透過度変更バー１２０が透過度０％の位置にある場合を示す。この場合は、枠８０にはＸ線画像ＸＩＭは表示されず、シェーマ図ＳＩＭだけが表示される。一方、図２３Ｂは、透過度変更バー１２０が透過度１００％の位置にある場合を示す。この場合は図２３Ａの場合とは逆に、枠８０にはシェーマ図ＳＩＭは表示されず、Ｘ線画像ＸＩＭだけが表示される。
【０１００】
図２４は、透過度変更バー１２０が透過度５０％の位置にある場合を示す。この場合、枠８０には、シェーマ図ＳＩＭとＸ線画像ＸＩＭが両方表示される。ただし、Ｘ線画像ＸＩＭは、破線で示すように半透明で表示される。このため、枠８０には、シェーマ図ＳＩＭによるペットＰＴの輪郭１２５と、Ｘ線画像ＸＩＭによるペットＰＴの輪郭１２６とが表示される。シェーマ図ＳＩＭによる輪郭１２５は、ペットＰＴの体毛を含む体のラインである。対してＸ線画像ＸＩＭによる輪郭１２６は、ペットＰＴの体毛を含まない、皮膚に沿った体のラインである。
【０１０１】
このように、第４実施形態では、画面出力制御部４８により、画像検査で得られた医療画像が枠８０内に表示され、かつ、オーナーＯＷの操作に応じて、枠８０内における光学画像ＯＩＭおよびシェーマ図ＳＩＭのうちの少なくとも一方の透過度が変更される。このため、ペットＰＴの体のどの部分を撮影した医療画像であるのかが、より直感的に分かる。したがって、オーナーＯＷの健診結果への理解度をより高めることができる。
【０１０２】
また、図２４で示したように、シェーマ図ＳＩＭとＸ線画像ＸＩＭが枠８０内に両方表示される表示形態では、ペットＰＴの体毛を含む体のラインである輪郭１２５と、ペットＰＴの皮膚に沿ったラインである輪郭１２６とが表示される。したがって、輪郭１２５と輪郭１２６とを見比べることで、ペットＰＴの肥満具合を確認することができる。この効果は、特に体毛が長く皮膚のラインが分かりにくい品種のペットＰＴに対して有効である。体毛が長いペットＰＴの品種は、犬であれば、例えばヨークシャーテリア、パピヨン、マルチーズ等である。猫であれば、例えばラグドール、ヒマラヤン、ラガマフィン等である。
【０１０３】
上記各実施形態では、図１５〜図１７等で示したように、オーナー端末１１のディスプレイ３４Ｂの向きが縦向きであった場合を想定して、サマリー表示領域９６、光学画像表示領域９７、および健診結果表示領域９８を縦方向に並べた健診結果表示画面９５を例示しているが、これに限らない。図２５に示す健診結果表示画面９５のように、オーナー端末１１のディスプレイ３４Ｂの向きが横向きであった場合を想定して、サマリー表示領域９６および光学画像表示領域９７の右横に健診結果表示領域９８をレイアウトしてもよい。図１５〜図１７等で示した縦向き用の健診結果表示画面９５と、図２５で示した横向き用の健診結果表示画面９５とを、オーナー端末１１のディスプレイ３４Ｂの向きに応じて切り替えて表示することが好ましい。
【０１０４】
ペットＰＴの肥満度を、光学画像ＯＩＭおよびシェーマ図ＳＩＭのうちの少なくとも一方に重畳表示してもよい。ペットＰＴの肥満度は、例えば、身体検査の体重の測定値の理想体重に対する増減率である。体脂肪率、中性脂肪、総コレステロール、血糖値等から、総合的に肥満度を算出してもよい。また、ペットＰＴが肥満傾向にある場合に、光学画像ＯＩＭおよびシェーマ図ＳＩＭのうちの少なくとも一方において、脂肪と推定される部分を、赤色で塗り潰す等して表示してもよい。
【０１０５】
ペットＰＴの動物種としては、上記各実施形態で例示した犬、猫に限らない。鳥、ウサギ、ハムスター等でもよい。
【０１０６】
オーナー端末１１および／または病院端末１２が、健康管理装置１０の機能を担ってもよい。
【０１０７】
健康管理装置１０を構成するコンピュータのハードウェア構成は種々の変形が可能である。例えば、健康管理装置１０を、処理能力や信頼性の向上を目的として、ハードウェアとして分離された複数台のコンピュータで構成することも可能である。具体的には、第１取得部４５、第２取得部４６、および選定部４７の機能と、画面出力制御部４８の機能とを、２台のサーバコンピュータに分散して担わせる。この場合は２台のサーバコンピュータで健康管理装置１０を構成する。あるいは、第１取得部４５および第２取得部４６の機能を、１つの取得部に担わせてもよい。
【０１０８】
このように、コンピュータのハードウェア構成は、処理能力、安全性、信頼性等の要求される性能に応じて適宜変更することができる。さらに、ハードウェアに限らず、作動プログラム４０等のＡＰについても、安全性や信頼性の確保を目的として、二重化したり、あるいは、複数のストレージデバイスに分散して格納することももちろん可能である。
【０１０９】
上記各実施形態において、例えば、第１取得部４５、第２取得部４６、選定部４７、画面出力制御部４８（画面生成部４９および画面配信部５０）、作成部１１５といった各種の処理を実行する処理部（Ｐｒｏｃｅｓｓｉｎｇ  Ｕｎｉｔ）のハードウェア的な構造としては、次に示す各種のプロセッサ（Ｐｒｏｃｅｓｓｏｒ）を用いることができる。各種のプロセッサには、ソフトウェアを実行して各種の処理部として機能する汎用的なプロセッサであるＣＰＵに加えて、ＦＰＧＡ（Ｆｉｅｌｄ  Ｐｒｏｇｒａｍｍａｂｌｅ  Ｇａｔｅ Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ:ＰＬＤ）、および／またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【０１１０】
１つの処理部は、これらの各種のプロセッサのうちの１つで構成されてもよいし、同種または異種の２つ以上のプロセッサの組み合わせ（例えば、複数のＦＰＧＡの組み合わせ、および／または、ＣＰＵとＦＰＧＡとの組み合わせ）で構成されてもよい。また、複数の処理部を１つのプロセッサで構成してもよい。
【０１１１】
複数の処理部を１つのプロセッサで構成する例としては、第１に、クライアントおよびサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（Ｓｙｓｔｅｍ  Ｏｎ  Ｃｈｉｐ:ＳｏＣ）等に代表されるように、複数の処理部を含むシステム全体の機能を１つのＩＣ（Ｉｎｔｅｇｒａｔｅｄ  Ｃｉｒｃｕｉｔ）チップで実現するプロセッサを使用する形態がある。このように、各種の処理部は、ハードウェア的な構造として、上記各種のプロセッサの１つ以上を用いて構成される。
【０１１２】
さらに、これらの各種のプロセッサのハードウェア的な構造としては、より具体的には、半導体素子等の回路素子を組み合わせた電気回路（Ｃｉｒｃｕｉｔｒｙ）を用いることができる。
【０１１３】
以上の記載から、以下の付記項１に記載の発明を把握することができる。
【０１１４】
［付記項１］
ペットの健康診断の結果である健診結果を取得する第１取得プロセッサと、
前記ペットの光学画像を取得する第２取得プロセッサと、
前記光学画像および前記光学画像に基づいて作成されたシェーマ図のうちの少なくとも一方と、前記健診結果とを含む健診結果表示画面の出力を制御する画面出力制御プロセッサと、
を備える健康管理装置。
【０１１５】
本開示の技術は、上述の種々の実施形態および／または種々の変形例を適宜組み合わせることも可能である。また、上記各実施形態に限らず、要旨を逸脱しない限り種々の構成を採用し得ることはもちろんである。さらに、本開示の技術は、プログラムに加えて、プログラムを非一時的に記憶する記憶媒体にもおよぶ。
【０１１６】
以上に示した記載内容および図示内容は、本開示の技術に係る部分についての詳細な説明であり、本開示の技術の一例に過ぎない。例えば、上記の構成、機能、作用、および効果に関する説明は、本開示の技術に係る部分の構成、機能、作用、および効果の一例に関する説明である。よって、本開示の技術の主旨を逸脱しない範囲内において、以上に示した記載内容および図示内容に対して、不要な部分を削除したり、新たな要素を追加したり、置き換えたりしてもよいことはいうまでもない。また、錯綜を回避し、本開示の技術に係る部分の理解を容易にするために、以上に示した記載内容および図示内容では、本開示の技術の実施を可能にする上で特に説明を要しない技術常識等に関する説明は省略されている。
【０１１７】
本明細書において、「Ａおよび／またはＢ」は、「ＡおよびＢのうちの少なくとも１つ」と同義である。つまり、「Ａおよび／またはＢ」は、Ａだけであってもよいし、Ｂだけであってもよいし、ＡおよびＢの組み合わせであってもよい、という意味である。また、本明細書において、３つ以上の事柄を「および／または」で結び付けて表現する場合も、「Ａおよび／またはＢ」と同様の考え方が適用される。
【０１１８】
本明細書に記載された全ての文献、特許出願および技術規格は、個々の文献、特許出願および技術規格が参照により取り込まれることが具体的かつ個々に記された場合と同程度に、本明細書中に参照により取り込まれる。
【符号の説明】
【０１１９】
２  健康管理システム
１０  健康管理装置
１１  オーナー端末
１２  病院端末
１３  ネットワーク
２０  Ｘ線源
２１  Ｘ線検出器
２２  デジタルカメラ
３０、３０Ａ、３０Ｂ  ストレージデバイス
３１  メモリ
３２、３２Ａ、３２Ｂ  ＣＰＵ
３３  通信部
３４、３４Ｂ  ディスプレイ
３５、３５Ｂ  入力デバイス
３６  バスライン
４０  作動プログラム（健康管理装置の作動プログラム）
４１  選定用情報
４２  臓器および骨データベース（臓器および骨ＤＢ）
４５  第１取得部
４６  第２取得部
４７  選定部
４８  画面出力制御部
４９  画面生成部
５０  画面配信部
６０  臓器
６１  食道
６２  肺
６３  心臓
６４  肝臓
６５  胃
６６  膵臓
６７  脾臓
６８  腎臓
６９  小腸
７０  大腸
７５  特定の骨
７６  特定の骨の輪郭
７７  臓器および骨ＤＢから検索した骨の位置情報に基づく特定の骨の輪郭
８０  枠
９０  健康管理アプリケーションプログラム（健康管理ＡＰ）
９１  ブラウザ制御部
９５  健診結果表示画面
９６  サマリー表示領域
９７  光学画像表示領域
９８  健診結果表示領域
９９  重要項目に付された番号
１００  他の項目に付された番号
１０５  アノテーション
１１０  枠に付された番号
１１５  作成部
１１７  シェーマ図表示領域
１２０  透過度変更バー
１２５  シェーマ図によるペットの輪郭
１２６  Ｘ線画像によるペットの輪郭
ＡＨ  動物病院
ＢＣＩＭ  骨輪郭画像
ＣＩＭ  輪郭画像
ＤＲ  医師
ＯＩＭ  光学画像
ＯＷ  オーナー
ＰＴ  ペット
ＲＡ  放射線技師
ＳＩＭ  光学画像に基づいて作成したシェーマ図
ＳＴ１００、ＳＴ１１０、ＳＴ１２０、ＳＴ１３０、ＳＴ１４０、ＳＴ１５０  ステップ
ＸＩＭ  Ｘ線画像（医療画像）
【図１】
2020135310.tif 000003
【図２】
2020135310.tif 000004
【図３】
2020135310.tif 000005
【図４】
2020135310.tif 000006
【図５】
2020135310.tif 000007
【図６】
2020135310.tif 000008
【図７】
2020135310.tif 000009
【図８】
2020135310.tif 000010
【図９】
2020135310.tif 000011
【図１０】
2020135310.tif 000012
【図１１】
2020135310.tif 000013
【図１２】
2020135310.tif 000014
【図１３】
2020135310.tif 000015
【図１４】
2020135310.tif 000016
【図１５】
2020135310.tif 000017
【図１６】
2020135310.tif 000018
【図１７】
2020135310.tif 000019
【図１８】
2020135310.tif 000020
【図１９】
2020135310.tif 000021
【図２０】
2020135310.tif 000022
【図２１】
2020135310.tif 000023
【図２２】
2020135310.tif 000024
【図２３】
2020135310.tif 000025
【図２４】
2020135310.tif 000026
【図２５】
2020135310.tif 000027